(57)【要約】【課題】  再生装置と、再生装置と着脱可能な表示装置とからなる車載用電子システムにおいて、再生装置から表示装置の取り外しが可能であり、かつ表示装置を取り外した場合であっても再生装置で再生した記憶媒体の映像および音声を表示装置に表示させ、音声を出力することができるようにする。【解決手段】  車両に固定された再生装置では、着脱可能な記憶媒体から少なくとも映像信号を得て、無線通信部を介して表示装置に送信する。また、再生装置から表示装置に対して、非接触電力伝送により電力を伝送する。表示装置では、再生装置から、非接触電力伝送により電力が伝送され、無線通信部を介して少なくとも映像信号を受信する。表示装置の表示部では、無線通信部で受信した映像信号に基づく映像を表示する。【選択図】図３
2013112111.tif 000002
【特許請求の範囲】
【請求項１】
再生装置と、該再生装置と着脱可能な表示装置とからなり、
上記再生装置が、車両に固定され、
装着自在な記憶媒体から、少なくとも映像信号を得る再生部と、
上記記憶媒体の再生の制御を行うための操作部と、
上記表示装置に対して上記映像信号を送信する第１の無線通信部と、
上記表示装置に対して、非接触電力伝送により電力を伝送する送電部と
を備え、
上記表示装置が、
上記再生装置から、非接触電力伝送により電力が伝送される受電部と、
上記再生装置から、上記映像信号を受信する第２の無線通信部と、
上記第２の無線通信部で受信した上記映像信号に基づく映像を表示する表示部と
を備える車載用再生システム。
【請求項２】
上記表示装置の上記表示部の表面に、タッチパネル型入力部が設けられる請求項１に記載の車載用再生システム。
【請求項３】
上記タッチパネル型入力部の操作に応じた制御信号を、上記第２の無線通信部から上記第１の無線通信部に送信し、
上記再生装置が上記媒体の再生を制御する請求項２に記載の車載用再生システム。
【請求項４】
上記再生装置と上記表示装置との間で非接触電力伝送による電力の伝送がなされない場合には、蓄電部が該表示装置に電力を供給する請求項１に記載の車載用再生システム。
【請求項５】
車両に固定された再生装置から、非接触電力伝送により電力が伝送される受電部と、
上記再生装置から、映像信号を受信する無線通信部と、
上記無線通信部で受信した映像信号に基づく映像を表示する表示部と
を備える表示装置。
【請求項６】
上記表示装置の上記表示部の表面に、タッチパネル型入力部が設けられる請求項５に記載の表示装置。
【請求項７】
上記タッチパネル型入力部の操作に応じた制御信号を、上記無線通信部から上記再生装置に送信する請求項６に記載の表示装置。
【請求項８】
上記受電部に非接触電力伝送による電力の伝送がなされない場合には、蓄電部が電力を供給する請求項５に記載の表示装置。
【発明の詳細な説明】
【技術分野】
【０００１】
本開示は、映像の表示が可能な表示装置と、表示装置に対して無線で電力および映像信号等を送信可能な車載用再生装置とからなる車載用再生システムおよび表示装置に関する。
【背景技術】
【０００２】
近年、車載用オーディオ装置や車載用ナビゲーション装置等の車載用電子機器の盗難防止等を目的として、車載用電子機器の本体に対して表示装置（表示パネル）を着脱可能とした車載用再生システムが提案されている。このような車載用再生システムを用いた場合、ユーザは、降車時に表示装置を車外に持ち出すことができる。このような構成の車載用再生システムでは、従来、車載用再生装置と表示装置とをそれぞれに取り付けられたコネクタにより機械的かつ電気的に接続している。そして、映像信号および音声信号、ならびに電力等は、コネクタを介して車載用再生装置から表示装置に供給している。
【先行技術文献】
【特許文献】
【０００３】
【特許文献１】特開２００９−２８０１１３号公報
【発明の概要】
【発明が解決しようとする課題】
【０００４】
しかしながら、上述の様にコネクタを設けて車載用再生装置と表示装置とを接続する場合、表示装置が厚く、重量も大きいものとなっており、表示装置を取り外した後に持ち運びにくくなっていた。また、表示装置を車載用再生装置から取り外した場合には、電気的に接続が遮断されるため、車載用再生装置で再生した映像ソースを表示装置に表示させることができなかった。このため、後部座席で映像を視聴したい場合には、従来のオーディオ装置、ナビゲーション装置と同様に、ケーブルを後部座席まで配線して後部座席用の表示装置を設置する必要がある。この場合、美観を損ねたり、追加の表示装置を購入する必要があり、好ましくない。また、追加の表示装置を接続するにあたり、ユーザがインストール作業等の繁雑な作業を行わなければならない。
【０００５】
本開示では上記問題点に鑑み、再生装置から表示装置の取り外しが可能であり、かつ表示装置を取り外した場合であっても再生装置で再生した記憶媒体の映像を表示装置に表示させることができる車載用再生システムおよび表示装置を提供することを目的とする。
【課題を解決するための手段】
【０００６】
上述した課題を解決するために、本開示の車載用再生システムは、再生装置と、再生装置と着脱可能な表示装置とからなり、
再生装置が、車両に固定され、
装着自在な記憶媒体から、少なくとも映像信号を得る再生部と、
記憶媒体の再生の制御を行うための操作部と、
表示装置に対して映像信号を送信する第１の無線通信部と、
表示装置に対して、非接触電力伝送により電力を伝送する送電部と
を備え、
表示装置が、
再生装置から、非接触電力伝送により電力が伝送される受電部と、
再生装置から、映像信号を受信する第２の無線通信部と、
第２の無線通信部で受信した映像信号に基づく映像を表示する表示部と
を備えることを特徴とする。
【０００７】
また、本開示の表示装置は、車両に固定された再生装置から、非接触電力伝送により電力が伝送される受電部と、
再生装置から、映像信号を受信する無線通信部と、
無線通信部で受信した映像信号に基づく映像を表示する表示部と
を備えることを特徴とする。
【０００８】
本開示の車載用再生システムは、再生装置で再生した記憶媒体の映像を、無線通信部を介して再生装置と着脱可能な表示部に送信し、表示装置に表示することができる。表示装置に対して、再生装置から非接触電力伝送により電力が伝送される。これにより、再生装置から表示装置に対して、コネクタ等を必要とせずに電力供給および再生信号を送信することができる。
【発明の効果】
【０００９】
本開示によれば、表示装置を再生装置から取り外しても、表示装置に映像を表示させることができる。また、再生装置と表示装置とを、電力の供給および再生信号の送信のために接続するコネクタが不要となるため、表示装置を薄型化・軽量化することができる。
【図面の簡単な説明】
【００１０】
【図１】本開示の実施の形態にかかる車載用再生システムの一構成例を示す外観図である。
【図２】本開示の実施の形態にかかる車載用再生システムを構成する車載用再生装置および表示装置のそれぞれの一構成例を示す外観図である。
【図３】本開示の実施の形態にかかる車載用再生システムのブロック図である。
【図４】本開示の実施の形態にかかる車載用再生システムの表示装置を、車載用再生装置から取り外して用いる場合の一例を示す概略図である。
【発明を実施するための形態】
【００１１】
以下、本開示の実施の形態について図面を参照して説明する。
【００１２】
（１）車載用再生システムの構成
図１は、本開示の実施の形態にかかる再生装置である車載用再生装置１０に、表示装置２０が嵌合された車載用再生システム１の一構成例を示す外観図である。図２Ａは、表示装置２０が取り外された車載用再生装置１０の外観図であり、図２Ｂは、車載用再生装置１０から取り外した状態の表示装置２０である。表示装置２０は表示部２１とスピーカ２２とを備え、表示部２１がユーザが視認可能な状態で、表示装置２０が車載用再生装置１０に取り付け可能な構成とされる。
【００１３】
車載用再生装置１０は、例えば前面にディスク挿入部１１ａを備え、ＣＤ（Compact Disc）、ＤＶＤ(Digital Versatile Disk)またはＢｌｕ−ｒａｙ  Ｄｉｓｃ（ブルーレイ
ディスク  アソシエーションの登録商標）等の記憶媒体としてのディスク媒体が挿入可能とされる構成である。ディスク挿入部１１ａから挿入されたディスク媒体は、車載用再生装置１０の内部の図示しないディスクドライブに収容されて再生される。車載用再生装置１０は、例えば前面にスピーカ１３を備え、再生されたディスク媒体の音声が出力される。
【００１４】
なお、再生される記憶媒体はディスク媒体に限られず、メモリースティック（ソニー株式会社の登録商標）、ＳＤメモリーカード（ＳＤ  アソシエーションの商標）等の補助記憶媒体や、ウォークマン（ソニー株式会社の登録商標）、ｉＰｏｄ（アップル  インコーポレーテッドの登録商標）等のポータブルオーディオプレーヤーであってもよい。この場合には、各媒体に合わせて、ディスク挿入部１１ａに代わる挿入部もしくは接続部が設けられる。
【００１５】
車載用再生装置１０は、例えば前面に操作部１２を備え、ユーザが操作部１２のいずれかを操作することにより、ディスクドライブに収容されたディスク媒体の再生等を制御することができる。操作部１２には、ディスク媒体を取り出す際のイジェクトボタン等が設けられてもよい。また、操作部１２には、車載用再生装置１０に嵌合された表示装置２０を車載用再生装置１０から取り外す際に操作される取り外しボタンが設けられてもよい。
【００１６】
車載用再生装置１０は、例えば表示装置２０が嵌合された際に表示装置２０と接触する面に、係合部１０ａを備えている。係合部１０ａは、機械的構造により、車載用再生装置１０と表示装置２０とを固定するものである。係合部１０ａの構造は、車載用再生装置１０と表示装置２０とを固定可能であればどのような構造でもよい。なお、本開示の車載用再生装置１０における係合部１０ａは機械的に車載用再生装置１０と表示装置２０とを接続して固定するものであり、車載用再生装置１０と表示装置２０とを電気的に接続するものではない。
【００１７】
車載用再生装置１０は、車両に設置され車両と電気的に接続されて電力の供給を受けてディスク媒体の再生等を行うとともに、ディスク媒体を再生した再生信号（音声信号、映像信号等）を表示装置２０に無線通信により送信する。また、車載用再生装置１０は、非接触電力伝送により電力を表示装置２０に伝送する。
【００１８】
表示装置２０は、車載用再生装置１０でディスク媒体から再生した映像を表示部２１に表示し、再生した音声をスピーカ２２から出力することができる。表示装置２０は、車載用再生装置１０から無線で受信したディスク媒体の再生信号を、無線通信により受信する。また、表示装置２０を駆動する電力は、非接触電力伝送により車載用再生装置１０から伝送される。
【００１９】
ここで、表示装置２０として、例えば車載用再生装置１０との通信が可能な携帯電話、特にスマートフォン等を用いるようにしてもよい。また、スマートフォン等の携帯電話が、車載用再生装置１０から非接触電力伝送により電力を伝送可能な構成である場合にはさらに好ましい。車載用再生装置１０との通信や、非接触電力伝送による電力伝送の機能は携帯電話に内蔵されていてもよく、携帯電話に接続される付属装置に備えられていてもよい。付属装置は、例えば、携帯電話用ケースと一体となっていてもよい。
【００２０】
なお、車載用再生装置１０にスピーカ１３を、表示装置２０にスピーカ２２を設ける構成について説明したが、この構成は一例であり、車載用再生装置１０および表示装置２０にスピーカ１３およびスピーカ２２を設けないようにしてもよい。この場合には、車載用再生装置１０と車両に予め取り付けられた車両スピーカとを接続し、車載用再生装置１０で再生したディスク媒体の音声を、車両に予め取り付けられたスピーカから出力するようにすることが好ましい。また、車載用再生装置１０にスピーカ１３および表示装置２０のスピーカ２２の少なくとも一方と、車両スピーカとの双方から音声が出力されるようにしてもよい。
【００２１】
図３に、車載用再生装置１０と表示装置２０とからなる車載用再生システム１のブロック図を示す。
【００２２】
車載用再生装置１０は、例えば、ディスクドライブ１１と、操作部１２と、スピーカ１３と、再生部１４と、制御部１５と、電源部１６と、送電部１７と、無線通信部１８とからなる。
【００２３】
ディスクドライブ１１は、ＣＤ、ＤＶＤまたはＢｌｕ−ｒａｙ  Ｄｉｓｃ等のディスク媒体が挿入可能とされる。ディスクドライブ１１は、光学ピックアップを備える。光学ピックアップは、ディスク媒体再生のためのレーザ光源と、このレーザ光源から出射されたレーザ光を対物レンズを介してディスク媒体の記録面に集光させ、このディスク媒体からの反射光を取り込む光学系と、この光学系によって取り込んだ反射光を検出する光検出器とから構成される。ディスク媒体再生時には、ディスク媒体に対してレーザ光が照射され、ディスク媒体からの反射光が光検出器によって電気信号へと変換される。
【００２４】
再生部１４は、例えば光学ピックアップと図示しないアナログフロントエンドにより構成される。アナログフロントエンドは、ディスクから検出された信号を整形してデジタル信号にするための信号処理回路である。アナログフロントエンドは、ディスク媒体に対してレーザ光が照射され、ディスク媒体からの反射光が光検出器によって電気信号へと変換された後、光学ピックアップから電気信号が得られる。アナログフロントエンドから、再生データとしてＲＦ（Radio Frequency）信号、フォーカスエラー信号、トラッキングエ
ラー信号、ウォブル信号が出力される。そして、ＲＦ信号が整形され、ＲＦ信号の高周波信号の高周波信号成分が除去された後、二値化処理等の所定の信号処理を行い、ＲＦ信号のデコード処理を行い、エラー訂正処理がなされる。これにより、音声についての再生信号（音声信号）、または音声信号および映像についての再生信号（音声信号と映像信号）が得られる。
【００２５】
再生部１４で得られたディスク媒体の映像信号および音声信号は、無線通信部１８に送られる。スピーカ１３から音声を出力する場合には、スピーカ１３にも音声信号が送られる。スピーカ１３は、制御部１５の制御に応じて音量等が調整されて出力される。
【００２６】
無線通信部１８は、表示装置２０の無線通信部２４との間で双方向通信が可能とされている。無線通信部１８は、映像信号および音声信号を無線で送信するための無線変調部を含み、表示装置２０の無線通信部２４に対して、映像信号および音声信号、ならびに必要に応じて制御信号を送信する。表示装置２０で操作が行われた場合には、無線通信部１８が、表示装置２０の無線通信部２４から制御信号を受信する。
【００２７】
無線通信部１８と表示装置２０の無線通信部２４との間の通信は、ワイヤレスＨＤＭＩ(High-definition Multimedia Interface)（ＨＤＭＩはエイチディーエムアイ・ライセンシング，エルエルシーの登録商標）やＢｌｕｅｔｏｏｔｈ（ブルートゥース  エスアイジー，インコーポレイテッドの登録商標）により行うことができる。ワイヤレスＨＤＭＩについては後述する。映像信号および音声信号の無線伝送が可能であれば、これらの通信規格に限られない。
【００２８】
操作部１２は、ユーザによって操作されることにより、ディスク媒体の再生や音量の調整、またはディスク媒体の取り出し等を制御することができる。操作部１２は、ユーザによる操作部１２の操作に応じた操作信号を制御部１５に供給する。制御部１５は、操作部１２から受信した操作信号を基に、再生部１４、スピーカ１３、ディスクドライブ１１等に制御信号を供給し、ユーザによる操作部１２の操作に応じた制御を行う。
【００２９】
電源部１６は、車両の電源部から電力が供給され、車載用再生装置１０の各部に電力を供給する。
【００３０】
送電部１７は、非接触電力伝送により電力を表示装置２０に伝送する。非接触電力伝送方式としては、具体的に、磁場共鳴方式または電場共鳴方式等を用いることができる。磁場共鳴方式および電場共鳴方式は、電磁誘導方式と比較して伝送効率に劣るものの、伝送距離を電磁誘導方式よりも広範囲の数ｍの範囲とすることができるため、表示装置２０を車両内のリアシートで使用することも考えられる本開示の車載用再生システム１に好適である。また、磁場共鳴方式によるワイヤレス電力伝送は、特定の共振回路だけが電力を受信でき、電場共鳴方式によるワイヤレス電力伝送は、特定の誘電体だけが電力を受信できる。このため、例えば金属性物体を電力伝送経路の途中に置いても、金属性物体が加熱されるようなことがなく安全である。
【００３１】
送電部１７は、例えば、コイルとコンデンサからなるＬＣ回路からなる共振回路を備える。表示装置２０の受電部２３にも同様のＬＣ回路が備えられ、送電部１７と受電部２３の双方のＬＣ回路間で磁場を共鳴させることで、送電部１７から受電部２３へワイヤレスで電力を伝送する。
【００３２】
制御部１５は、例えば操作部１２で入力された操作に応じてディスクドライブ１１、再生部１４等を制御し、ディスク媒体の再生制御を行う。具体的には、再生の開始、停止、音量の調整等を行うことができる。制御部１５は、送電部１７および無線通信部１８に対して制御信号を供給して電力伝送や映像信号および音声信号等の送信を制御する。表示装置２０からユーザによって入力された操作に応じた制御信号を受信した場合には、受信した制御信号に応じてディスク媒体の再生制御を行う。
【００３３】
表示装置２０は、例えば、表示部２１と、表示部２１上に設けられたタッチパネル型入力部（以下、タッチパネルと適宜称する）２１ａと、スピーカ２２と、受電部２３と、無線通信部２４と、フォーマット変換部２５と、制御部２６と、電池部２７とからなる。
【００３４】
表示部２１は、例えば薄型パネルと、バックライトとにより構成され、車載用再生装置１０から受信した映像信号を出力するためのものである。薄型パネルは、例えばＬＣＤ
（Liquid Crystal Display）および有機ＥＬ(Electro Luminescence)パネル等により構成された表示手段である。表示部２１は、制御部２６の制御に応じて映像が表示される。
【００３５】
また、表示部２１は、その表面に入力装置としてのタッチパネル２１ａが設けられている。表示部２１とタッチパネル２１ａとは、例えば粘着剤を介して貼り合わされている。また、タッチパネル２１ａの表面に表面部材であるフロントパネル（図示せず）をさらに備えるようにしてもよい。タッチパネル２１ａとフロントパネルとは、例えば粘着剤により貼り合わされる。
【００３６】
タッチパネル２１ａは、例えば、抵抗膜方式または静電容量方式のタッチパネルである。抵抗膜方式のタッチパネルとしては、例えば、マトリックス抵抗膜方式のタッチパネルが挙げられる。静電容量方式のタッチパネルとしては、例えば、Ｗｉｒｅ  Ｓｅｎｓｏｒ方式またはＩＴＯ  Ｇｒｉｄ方式の投射型静電容量方式タッチパネルが挙げられる。
【００３７】
タッチパネル２１ａにより、ディスク媒体の再生等を制御することができる。タッチパネル２１ａは、ユーザによって操作されることにより、ディスク媒体の再生や音量の調整等を制御することができる。タッチパネル２１ａは、ユーザによるタッチパネル２１ａの操作に応じた信号を制御部２６に供給する。
【００３８】
なお、タッチパネル２１ａは必須の構成ではなく、表示装置２０での操作が不要であれば設けないようにしてもよい。
【００３９】
スピーカ２２は、車載用再生装置１０から受信した音声信号を出力するためのものであり、制御部２６の制御に応じて音量等が調整されて出力される。スピーカ２２では、無線通信部２４から受信した音声信号が供給され、音声を出力する。
【００４０】
受電部２３は、車載用再生装置１０の送電部１７と対応する構成を備えることにより、非接触電力伝送によって電力を得るものである。受電部２３は、例えば、送電部１７と同様にコイルとコンデンサからなるＬＣ回路を備えられ、送電部１７と受電部２３の双方のＬＣ回路間で磁場を共鳴させることで、送電部１７から受電部２３へワイヤレスで電力が伝送される。
【００４１】
なお、図示しないものの、車載用再生装置１０から伝送された電力は、受電部２３から表示装置２０内の各部に電源として供給される。
【００４２】
無線通信部２４は、車載用再生装置１０の無線通信部１８との間で双方向通信が可能とされている。無線通信部２４は、映像信号および音声信号を無線で受信するための無線復調部を含み、車載用再生装置１０の無線通信部１８から、映像信号および音声信号を受信する。同様に、無線通信部２４は、操作部１２における操作に応じた制御信号を車載用再生装置１０から受信する。表示装置２０のタッチパネル２１ａ等で操作が行われた場合には、無線通信部２４は、制御部２６から供給されたタッチパネル２１ａにおける操作に応じた制御信号を、車載用再生装置１０の無線通信部１８に送信する。無線通信部２４は、無線通信部１８と同規格の通信方式を備える通信部である。
【００４３】
フォーマット変換部２５は、車載用再生装置１０から受信した映像信号を、表示装置２０の表示部２１のフォーマットに合わせて変換する。例えば、無線通信部２４は、ワイヤレスＨＤＭＩ等によって非圧縮のＨＤ（High Definition）映像の映像信号を受信するこ
とができる。このため、フォーマット変換部２５は、サイズの小さい表示装置２０の表示部２１に合わせたサイズに映像信号を変換する。
【００４４】
電池部２７は、例えば二次電池、充放電制御回路等が備えられる。電池部２７は、例えばＡＣアダプタ等を接続することにより、表示装置２０の外部から電力の供給を受け、二次電池を充電することができるようにしてもよい。電池部２７は、制御部２６の制御に応じて表示装置２０の各部に電力を供給することができる。電池部２７は、二次電池の代わりに、コンデンサやキャパシタ等の蓄電部を設けてもよい。
【００４５】
なお、電池部２７は必要に応じて設ければよく、電池部２７を設けない場合には、表示装置２０をより薄型化、軽量化することができる。
【００４６】
制御部２６は、例えば無線通信部２４で受信した制御信号に応じて、無線通信部２４で受信した映像信号を表示部２１に表示させる。無線通信部２４で音声信号を受信した場合には、制御部２６は、音声信号をスピーカ２２に出力させる。制御部２６は、ユーザによるタッチパネル２１ａの操作があった場合には、タッチパネル２１ａからの操作信号に応じた制御信号を無線通信部２４を介して車載用再生装置１０に送信する。
【００４７】
また、制御部２６は、受電部２３の電力伝送状態を監視し、車載用再生装置１０からの非接触電力伝送による電力供給が絶たれた場合に、電池部２７から電力が供給されるように電池部２７を制御する。
【００４８】
以下、無線通信方式の一例としてのワイヤレスＨＤＭＩについて説明する。ワイヤレスＨＤＭＩは、従来ケーブルにより映像信号および音声信号の伝送を行っていたＨＤＭＩにおいて、映像信号および音声信号の伝送を無線で行うものである。ＨＤ映像を非圧縮で無線伝送する技術としては、例えばＷＨＤＩ（Wireless Home Digital Interface）、Ｗｉ
ｒｅｌｅｓｓＨＤ（Wireless High Definition）を用いることができる。
【００４９】
ＨＤＭＩは、再生する動画の映像信号と、その映像信号に付随する音声信号とを含むベースバンド信号を高速に伝送するデジタルインタフェースである。ＨＤＭＩの規格は、ＰＣ（Personal Computer ）とディスプレイの接続標準規格であるＤＶＩ（Digital Visual Interface）に音声伝送機能や著作権保護機能を加えて、ＡＶ（Audio Visual）機器向けにアレンジした規格である。
【００５０】
ＨＤＭＩを介して接続される装置には、ＨＤＭＩソース(HDMI Source)、ＨＤＭＩシン
ク(HDMI Sink)がある。ＨＤＭＩソースは、ＨＤＭＩを介して、映像信号や音声信号を出
力する出力部を備え、ＨＤＭＩシンクは、ＨＤＭＩを介して、映像信号や音声信号が入力される入力部を備える。
【００５１】
ＨＤＭＩは、ＨＤＭＩソースからＨＤＭＩシンクに、ベースバンドの映像信号や音声信号を一方向に送信する信号チャンネルを有する。ＨＤＭＩは、ＨＤＭＩソースおよびＨＤＭＩシンクの制御に利用される制御信号（メッセージ）を双方向に送信する制御チャンネルとしてのＣＥＣ(Consumer Electronics Control) ラインを有する。ＣＥＣラインによ
って、制御系が互いに制御される。
【００５２】
例えば本開示の車載用再生システム１では、車載用再生装置１０がＨＤＭＩソースとしての機能を有し、表示装置２０がＨＤＭＩシンクとしての機能を有し、車載用再生装置１０および表示装置２０がワイヤレスＨＤＭＩを介して接続される。そして、車載用再生装置１０の無線通信部１８がＨＤＭＩソースの出力部としての機能を有し、表示装置２０の無線通信部２４がＨＤＭＩシンクの入力部としての機能を有することにより、ワイヤレスＨＤＭＩを介した通信を行う。車載用再生システム１を構成する車載用再生装置１０および表示装置２０は、それぞれＣＥＣに対応しており、車載用再生装置１０および表示装置２０のいずれかにおける操作に応じて動作を行う。
【００５３】
（２）変形例
なお、上述の車載用再生システム１が、再生装置としての機能に加えて、ナビゲーション装置としての機能を有していてもよい。例えば、車載用再生装置１０がＧＰＳ（Global Positioning System）を備える。そして、車載用再生装置１０側で、予め記憶された地
図画像と目的地までの誘導経路とを重ね合わせたナビゲーション映像を合成するとともに、ナビゲーション映像の映像信号を表示装置２０に無線送信して表示部２１に表示させる。また、車載用再生装置１０側で、目的地までの誘導経路上の適切な位置に車両の現在位置が重なった場合に出力するナビゲーション音声の音声信号を、スピーカ１３に供給して出力させ、または表示装置２０に無線送信してスピーカ２２に出力させる。
【００５４】
このようなナビゲーション機能は、表示装置２０側が有するようにしてもよい。すなわち、表示装置２０がＧＰＳを備え、予め表示装置２０に記憶された地図画像を基に合成したナビゲーション映像を表示部２１に表示させ、ナビゲーション音声をスピーカ２２に出力させるようにしてもよい。この場合、表示装置２０が電池部２７を備えることで、表示装置２０のみを車両外へ持ち出して、携帯用ナビゲーション装置として使用することができる。
【００５５】
＜効果＞
本開示の車載用再生システムでは、ユーザが車両から降車する際に、防犯のために表示装置２０を車載用再生装置１０から取り外して車外へ持ち出すことができる。そして、車載用再生装置１０と表示装置２０とを勘合して用いる際に、車載用再生装置１０と表示装置２０とをコネクタで接続する必要がないため、表示装置２０の軽量化や薄型化を図ることができる。
【００５６】
また、本開示の車載用再生システムでは、特別な配線等を必要とすることなく、表示装置２０を車載用再生装置１０から離れた位置で用いることができる。例えば、リアシートに座るユーザが表示装置２０を手で持って、もしくは図４に示すように、表示装置２０をシート３０の背面に固定して、ユーザが表示装置２０の表示部２１に表示される映像を視聴することができる。
【００５７】
さらに、車載用再生装置１０および表示装置２０のそれぞれに、コネクタピンを配置する必要がないため、車載用再生装置１０を共通の設計とし、表示装置２０の設計にバリエーションを持たせた商品展開が可能となる
【００５８】
以上、本開示の一実施形態について具体的に説明したが、本開示は、上述の実施形態に限定されるものではなく、本開示の技術的思想に基づく各種の変形が可能である。
【００５９】
なお、本開示は、次のような構成とすることもできる。
［１］
再生装置と、該再生装置と着脱可能な表示装置とからなり、
上記再生装置が、車両に固定され、
装着自在な記憶媒体から、少なくとも映像信号を得る再生部と、
上記記憶媒体の再生の制御を行うための操作部と、
上記表示装置に対して上記映像信号を送信する第１の無線通信部と、
上記表示装置に対して、非接触電力伝送により電力を伝送する送電部と
を備え、
上記表示装置が、
上記再生装置から、非接触電力伝送により電力が伝送される受電部と、
上記再生装置から、上記映像信号を受信する第２の無線通信部と、
上記第２の無線通信部で受信した上記映像信号に基づく映像を表示する表示部と
を備える車載用再生システム。
［２］
上記表示装置の上記表示部の表面に、タッチパネル型入力部が設けられる［１］に記載の車載用再生システム。
［３］
上記タッチパネル型入力部の操作に応じた制御信号を、上記第２の無線通信部から上記第１の無線通信部に送信し、
上記再生装置が上記媒体の再生を制御する［１］および［２］の何れかに記載の車載用再生システム。
［４］
上記再生装置と上記表示装置との間で非接触電力伝送による電力の伝送がなされない場合には、蓄電部が該表示装置に電力を供給する［１］〜［３］の何れかに記載の車載用再生システム。
［５］
車両に固定された再生装置から、非接触電力伝送により電力が伝送される受電部と、
上記再生装置から、映像信号を受信する無線通信部と、
上記無線通信部で受信した映像信号に基づく映像を表示する表示部と
を備える表示装置。
［６］
上記表示装置の上記表示部の表面に、タッチパネル型入力部が設けられる［５］に記載の表示装置。
［７］
上記タッチパネル型入力部の操作に応じた制御信号を、上記無線通信部から上記再生装置に送信する［６］に記載の表示装置。
［８］
上記受電部に非接触電力伝送による電力の伝送がなされない場合には、蓄電部が電力を供給する［５］〜［７］の何れかに記載の表示装置。
【符号の説明】
【００６０】
１・・・車載用再生システム
１０・・・車載用再生装置
１０ａ・・・係合部
１１・・・ディスクドライブ
１１ａ・・・ディスク挿入部
１２・・・操作部
１３・・・スピーカ
１４・・・再生部
１５・・・制御部
１６・・・電源部
１７・・・送電部
１８・・・無線通信部
２０・・・表示装置
２１・・・表示部
２１ａ・・・タッチパネル
２２・・・スピーカ
２３・・・受電部
２４・・・無線通信部
２５・・・フォーマット変換部
２６・・・制御部
２７・・・電池部
３０・・・シート
【図１】
2013112111.tif 000003
【図２】
2013112111.tif 000004
【図３】
2013112111.tif 000005
【図４】
2013112111.tif 000006